(57)【要約】【課題】  マグネットを円筒状に一体に製作してマグネットの製造工程及び組立工程を単純化することで、製品の生産性を向上し、且つ費用を節減できる往復動式モータを提供する。【解決手段】  一対の固定子（１１１、１１２）と、前記一対の固定子の間に配置され、円筒状に一体に形成されて直線状に往復運動するマグネット（１２２）と、を含んで往復動式モータを構成する。【選択図】      図１
2005198495.tif 000002
【特許請求の範囲】
【請求項１】
一対の固定子と、前記一対の固定子の間に配置され、円筒状に一体に形成されて直線状に往復運動するマグネットと、を含むことを特徴とする往復動式モータ。
【請求項２】
前記マグネットの外周には、少なくとも１つのスリットが、前記マグネットが往復運動する方向に形成されることを特徴とする請求項１に記載の往復動式モータ。
【請求項３】
前記スリットの長さは、可動子の前記マグネットが往復運動する方向の幅よりも小さいことを特徴とする請求項２に記載の往復動式モータ。
【請求項４】
前記スリットは、複数個形成され、前記マグネットの両側に向かってそれぞれ開放形成されることを特徴とする請求項３に記載の往復動式モータ。
【請求項５】
前記マグネットの両側のうち一側に開放形成されたスリット及び他側に開放形成されたスリットは、交互に形成されることを特徴とする請求項４に記載の往復動式モータ。
【請求項６】
前記スリットは、前記マグネットの両側のうち一側に開放形成されることを特徴とする請求項３に記載の往復動式モータ。
【請求項７】
前記スリットは、複数個が前記マグネットの周り方向に等間隔に形成されることを特徴とする請求項４〜６のいずれか一項に記載の往復動式モータ。
【請求項８】
前記一対の固定子の間に配置され、前記マグネットが装着されて該マグネットと共に直線状に往復運動するフレームを含み、
前記フレームには、前記マグネットが装着される円筒状の溝が形成されることを特徴とする請求項１または２に記載の往復動式モータ。
【請求項９】
前記マグネットには、複数個のスリットが形成され、前記スリットのうち、少なくとも１つのスリットは、前記フレームに向かって開放されることを特徴とする請求項８に記載の往復動式モータ。
【請求項１０】
前記フレームの周りには、複数個の通孔が形成されることを特徴とする請求項９に記載の往復動式モータ。
【発明の詳細な説明】
【技術分野】
【０００１】
本発明は、往復動式モータに係るもので、詳しくは、マグネットの生産性及び組立性を向上できる往復動式モータに関するものである。
【背景技術】
【０００２】
一般に、往復動式モータは、平板状のフラックスを有し、外側固定子と内側固定子との間に介在される可動子は、フラックスの変化によって線形的に動作する。
【０００３】
図５及び図６に示したように、従来の往復動式モータは、巻線コイル１５の外側に複数個のシート１４が放射状に積層されて円筒状をなす外側固定子１１と、前記外側固定子１１の内周から所定の空隙を維持しながら配置され、複数個のシート１３が放射状に積層されて円筒状をなす内側固定子１２と、前記外側固定子１１と前記内側固定子１２との間に配置されて直線状に往復運動する可動子２０と、を含んで構成されている。
【０００４】
前記可動子２０は、前記外側固定子１１と前記内側固定子１２との間に配置されるマグネットフレーム２１と、前記マグネットフレーム２１の周りに沿って複数個装着されるマグネット２２と、前記マグネット２２を前記マグネットフレーム２１に固定するリテーナリング２３と、を含んで構成される。
【０００５】
図７に示したように、前記マグネットフレーム２１は、ステンレス(SUS)系列の材質により円筒状に形成され、前記マグネットフレーム２１の外周には、前記複数個のマグネット２２が装着されるように所定深さを有する複数個の装着溝２１aがそれぞれ形成される。
【０００６】
前記リテーナリング２３は、薄い金属材料からなり、前記複数個のマグネット２２の外周をそれぞれ圧着することで、前記複数個のマグネット２２を前記マグネットフレーム２１の外周面に固定する役割をする。また、前記リテーナリング２３の外周面には、渦電流を遮断する複数個のスリット２３aが形成される。
【０００７】
このように構成された可動子２０は、前記マグネットフレーム２１の外周面に形成された装着溝２１aに複数個のマグネット２２を接着剤により接着して挿入固定した後、前記リテーナリング２３を嵌合し、前記リテーナリング２３の両端を折曲して前記マグネット２２を固定する過程により組み立てられる。
【０００８】
このような従来の往復動式モータは、前記巻線コイル１５に電流が印加されると、前記巻線コイル１５の周辺にフラックスが形成されるが、前記フラックスは、前記外側固定子１１の一側経路に沿って前記内側固定子１２に流れた後、再び前記外側固定子１１の他側経路に流れる一種の閉ループを形成する。また、前記マグネット２２がフラックスの方向に沿って押されるか引かれることで、前記マグネットフレーム２１が直線状に往復運動をする。
【発明の開示】
【発明が解決しようとする課題】
【０００９】
然るに、従来の往復動式モータは、複数個のマグネット２２をそれぞれ個別的に加工した後、前記マグネットフレーム２１にそれぞれ装着すべきであるため、組立工程が非常に煩雑であり、製品の生産性が低下するという問題点があった。
【００１０】
また、前記マグネットフレーム２１に付着された複数個のマグネット２２の間の間隔を一定に維持するために、前記リテーナリング２３により前記マグネット２２を固定するので、前記リテーナリング２３の使用により部品数及び製造費用が増加し、組立工程が煩雑になるという問題点があった。
【００１１】
本発明は、このような従来の課題に鑑みてなされたもので、マグネットを円筒状に一体に製作してマグネットの製造工程及び組立工程を単純化することで、製品の生産性を向上し、且つ費用を節減できる往復動式モータを提供することを目的とする。
【課題を解決するための手段】
【００１２】
このような目的を達成するため、本発明に係る往復動式モータは、一対の固定子と、前記一対の固定子の間に配置され、円筒状に一体に形成されて直線状に往復運動するマグネットと、を含むことを特徴とする。
【００１３】
また、前記マグネットの外周には、渦電流を遮断する少なくとも１つのスリットが、前記マグネットが往復運動する方向に形成されることを特徴とする。
【発明の効果】
【００１４】
本発明に係る往復動式モータは、円筒状のマグネットフレームに円筒状のマグネットを嵌合固定するので、複数個のマグネットをマグネットフレームの外周にそれぞれ固定する従来の往復動式モータに比べて、マグネットの製造工程及び組立工程が容易であり、生産性を向上できるという効果がある。
【００１５】
また、本発明に係る往復動式モータは、円筒状のマグネットが備わるので、マグネットが結合された構造の寸法及び形状の管理が容易であり、従来のリテーナリングのような別途の部品が不要になるので、生産費用を節減できるという効果がある。
【発明を実施するための最良の形態】
【００１６】
以下、本発明の実施の形態に対し、図面に基づいて説明する。
【００１７】
図１及び図２に示したように、本発明に係る往復動式モータは、巻線コイル１１５の外側に複数個のシート１１４が放射状に積層されて円筒状をなす外側固定子１１１と、前記外側固定子１１１の内周から所定の空隙を維持しながら配置され、複数個のシート１１３が放射状に積層されて円筒状をなす内側固定子１１２と、前記外側固定子１１１と前記内側固定子１１２との間に配置されて直線状に往復運動する可動子１２０と、を含んで構成されている。
【００１８】
図３に示したように、前記可動子１２０は、前記外側固定子１１１と前記内側固定子１１２との間に配置されるマグネットフレーム１２１と、円筒状に一体に形成されて前記マグネットフレーム１２１に装着されるマグネット１２２と、から構成される。
【００１９】
前記マグネットフレーム１２１は、円筒状に形成されており、その外周面には、前記マグネット１２２が装着されるように所定深さを有する円筒状の装着溝１２１aが形成される。また、前記マグネットフレーム１２１には、運動時に発生する抵抗を減少するように周りに複数個の通孔１２１bが形成される。
【００２０】
前記マグネット１２２は、前記装着溝１２１aに嵌合固定されるが、前記マグネット１２２と前記装着溝１２１aとの間に接着剤を介在させることで、前記マグネット１２２を前記装着溝１２１aに一層安定的に固定することができる。
【００２１】
ここで、前記マグネット１２２の内径を前記装着溝１２１aの外径とほぼ同一に形成することで、前記マグネット１２２を前記装着溝１２１aに一層安定的に嵌合固定することができる。この場合、前記マグネット１２２は、弾性を有する材質により形成される。
【００２２】
一方、前記マグネット１２２の外周には、渦電流を遮断するために少なくとも１つ以上のスリット１２２aが前記マグネット１２２の軸方向、即ち、前記マグネットフレーム１２１及び前記マグネット１２２が往復運動する方向に形成される。前記スリット１２２aの長さは、前記可動子１２０の前記マグネット１２２が往復運動する方向の幅よりも小さく形成され、複数個のスリット１２２aが前記マグネット１２２の周り方向に等間隔に形成される。
【００２３】
前記スリット１２２aは、前記マグネットフレーム１２１に向かう一側及び前記マグネットフレーム１２１に向かう側の反対側である他側にそれぞれ開放形成される。ここで、前記マグネット１２２の一側に開放形成されたスリット及び前記マグネット１２２の他側に開放形成されたスリットは、交互に形成されることで前記マグネット１２２の剛性を維持することができる。
【００２４】
然し、前記構成に限定されず、図４に示したように、前記スリット１２２aの全ては、前記マグネットフレーム１２１に向かう側に開放形成されるか、または、前記マグネットフレーム１２１に向かう側の反対側に開放形成される。この場合、前記マグネット１２２を前記マグネットフレーム１２１の装着溝１２１aに容易に嵌合固定するために、前記スリット１２２aは、前記マグネットフレーム１２１に向かう側に開放形成されることが好ましい。
【００２５】
このように構成された本発明に係る往復動式モータは、円筒状のマグネットフレーム１２１に円筒状のマグネット１２２を簡単に嵌合固定することで、前記可動子１２０の組立が終了される。
【００２６】
このとき、前記マグネットフレーム１２１に装着溝１２１aが形成されるので、円筒状のマグネット１２２を前記装着溝１２１aに嵌合して堅固に固定することができる。
【００２７】
また、前記マグネット１２２の外周に前記スリット１２２aが形成されるので、前記マグネット１２２が前記マグネットフレーム１２１に装着されるとき、前記スリット１２２aがある程度広がることで、前記マグネット１２２を前記マグネットフレーム１２１に容易に装着することができる。
【００２８】
このような本発明に係る往復動式モータは、前記巻線コイル１１５に電源が印加されると、前記巻線コイル１１５の周辺にフラックスが形成されるが、前記フラックスは、前記外側固定子１１１の一側経路に沿って前記内側固定子１１２に流れた後、再び前記外側固定子１１１の他側経路に流れる一種の閉ループを形成する。また、前記可動子１２０のマグネット１２２は、フラックスの方向に沿って押されるか引かれることで直線状に往復運動をする。このとき、前記マグネット１２２に渦電流が発生するが、このような渦電流は、前記マグネット１２２に備わったスリット１２２aにより遮断されるので、前記渦電流による損失を防止することができる。
【図面の簡単な説明】
【００２９】
【図１】本発明の一実施形態に係る往復動式モータを示した断面図である。
【図２】図１の往復動式モータの可動子の要部を拡大して示した断面図である。
【図３】図１の往復動式モータの可動子を示した分解斜視図である。
【図４】本発明の他の実施形態に係る往復動式モータの可動子を示した分解斜視図である。
【図５】従来の往復動式モータを示した断面図である。
【図６】図５の往復動式モータの可動子の要部を拡大して示した断面図である。
【図７】図５の往復動式モータの可動子を示した分解斜視図である。
【符号の説明】
【００３０】
１１１    外側固定子
１１２    内側固定子
１２０    可動子
１２１    マグネットフレーム
１２１a    装着溝
１２２    マグネット
１２２a    スリット
【図１】
2005198495.tif 000003
【図２】
2005198495.tif 000004
【図３】
2005198495.tif 000005
【図４】
2005198495.tif 000006
【図５】
2005198495.tif 000007
【図６】
2005198495.tif 000008
【図７】
2005198495.tif 000009